(57)【要約】【課題】  従来、沖釣りにおける身餌をつけるには、生き餌、冷凍魚や切り身等の見餌を通し刺しやチョンがけにして用いることが多く、身餌の半分又はかなりの部分が垂れ下がって取り付けることが多く、従って糸を投げた時に餌がズレたり、外れたり、また、垂れ下がった先端に魚が食い付いて餌を取られることが多く、安くない餌を取られるばかりでなかなか釣果が上がらない。【解決手段】  釣り針の針軸方向に沿って周囲を囲繞して複数の傘状係合部を設けた釣り針本体と、円筒部材の円筒部の筒方向に沿って切通して設けた切れ目と、該切れ目の反対側内側の位置に円筒部の内側に向けて突出する爪部を設けた筒状部材よりなるチャックとよりなり、該チャックの挿入口から上記釣り針本体をチモト先から挿入して上記傘状係合部と爪部とを係合させてなる釣り具。【選択図】  図１
2005130771.tif 000002
【特許請求の範囲】
【請求項１】
釣り針の針軸に、該針軸方向に周囲を囲繞して少なくとも２個の傘状係合部を設けた釣り針本体と、円筒部の筒方向に沿って切通して設けた切れ目を有し、且つ該切れ目の反対側内側に位置して円筒部の内側に向けて爪部を設けた円筒部材よりなるチャックとよりなり、該チャックの挿入口から上記釣り針本体をチモト先から挿入して上記傘状係合部に上記爪部を係合させてなることを特徴とする釣り具。
【請求項２】
上記チャックが、上記円筒部材の円筒部の端部に爪部を連結して設けてなる請求項１記載の釣り具。
【請求項３】
上記チャックが、上記円筒部の筒方向に沿って切通して設けた切れ目を有する円筒部材と、上記切れ目の反対側内側に位置して爪部を設けた連結部材とよりなる請求項1記載の釣り具。
【発明の詳細な説明】
【技術分野】
【０００１】
本発明は、釣り具に関する。更に詳しくは、海での沖釣りや岸釣りにおける餌釣りにおいて、容易に身餌を丸ごと取付けることができ、また、身餌が外れたり、取られたりすることが防止できるように身餌を取付けられる釣り具に関する。
【背景技術】
【０００２】
従来、餌釣りにおける身餌のつけ方には、通し刺し、縫い刺し、房かけ、チョンがけ、切り身刺し等の付け方があり、魚種や釣りの状況によって使い分けられている。海の沖釣りにおける中大型魚には、生き餌、冷凍魚や切り身等の餌をチョンがけにして用いることが多く、それらの場合餌の半分又は尾を垂れ下げて取り付けることが多く、従って糸を投げた時に餌が外れたり、また、垂れ下がった先端に魚が食い付いて餌を取られることが多く、また、針先や針軸が露出しているので警戒されてなかなか釣果が上がらないことがしばしばである。
【０００３】
身餌が外れたり、魚に取られたりするのを少しでも防ぐために、身餌を通し刺しや縫い刺しによって取付けている。通し刺しは、針のカーブに沿って身餌の中に針の全体を納めるように取付けるので、外から針は殆ど見えなくなる。また、縫い刺しは、針のカーブに沿って布を縫うように所々で針を露出させた状態に取付ける。しかしながら、これらの餌の付け方は、餌の途中で180度折り曲げるように取付けるので、針先が外に出ることが多くなり、そのため身餌の内外に傷を与えたり、部分的に切れたりする損傷を与え、そのために餌が取られ易くなり、また、再び使用できず餌の無駄が多くなる。つまり餌の取付けにはコツがあり、その習得に時間を要する。
【０００４】
また、これらの身餌は安いものではなく、餌が外れたり、魚に取られたり、無駄にしたりすることに対し釣り針や釣り具の改良が行われている。釣り針のチモトが外せるようにして身餌を取り付けた後、再度釣り針を取りつけるようにした釣り具が知られている（例えば、特許文献１〜４）。また、針先が抜けて取外しできるように形成された釣り針（例えば、特許文献５）や針先が軸方向に束ねられるように形成された釣り針（例えば、特許文献６、７）等が知られている。また、2本の釣り針を連結した釣針（例えば、特許文献８）や2体の部材よりなり枢着されている釣針（例えば、特許文献９）等が知られている。
【０００５】
【特許文献１】特開平４−１６６０３１号
【特許文献２】特開平８−１６３９３９号
【特許文献３】特開平１１−４６６２５号
【特許文献４】特開平１１−２０６２７３号
【特許文献５】特開２０００−１２５６９９号
【特許文献６】特開平４−１６９１４２号
【特許文献７】特開平１１−１１３４４７号
【特許文献８】特開２００１−２５３３４号
【特許文献９】実開昭６１−３４８７８号
【発明の開示】
【発明が解決しようとする課題】
【０００６】
しかしながら、特許文献１〜９の総てについて、身餌の大きさや魚種によって軸長の調整ができず、身餌が小さい場合には針先が露出し魚に警戒されて釣果が上がらないという欠点があり、特許文献１，３，５，６，８，９については、身餌がズレ易く、また外れ易いので餌が無駄になり易い欠点がある。また、特許文献３，５については、身餌を針先から入れなければならないので、通し刺しや縫い刺しを行った時に身餌への損傷が大きくなる。また特許文献４，８については、チモトからの身餌への針通しが困難で身餌への損傷が大きく、餌の無駄が多くなる。その他特許文献６，７，９については、通し刺しと縫い刺ししかできないので、釣り方が限られる。特許文献5については、針の脱着に手間を要するので、手返しに時間が掛り釣果が上がり難くなる。また、特許文献7については、魚が身餌を完全に飲み込まなければ釣れないので、食い渋った時には釣れ難くなる。また更に特許文献２，７については、餌が自然に見えず、魚に違和感を与えるので釣果があがり難くなる等の問題がある。
【０００７】
本発明は、上記の問題点を解決するもので、釣り針の取り外しが容易にでき、身餌に損傷を与えることなくチモト先側から真直ぐに挿入することができ、また、餌の形状に合わせて思い通りに針を通すことができることで容易に取り付けることができ、更に針先を身餌に隠すことも容易にできる。仕掛けに取付けた後には、釣り針が外れることがなく、糸を投げた後の身餌のズレや身切れが少なくなり、また、魚に食い逃げされることが少なくなることによって、餌の交換が少なくてすむようになる。更にまた、針の軸長を身餌の大きさや魚種によって調節できることによって、効率的、経済的に身餌を用いることができ、更に釣果も上がるという釣り具を提供することを目的とする。
【課題を解決するための手段】
【０００８】
本発明は、（１）釣り針の針軸に、該針軸方向に周囲を囲繞して少なくとも２個の傘状係合部を設けた釣り針本体と、円筒部の筒方向に沿って切通して設けた切れ目を有し、且つ該切れ目の反対側内側に位置して円筒部の内側に向けて爪部を設けた円筒部材よりなるチャックとよりなり、該チャックの挿入口から上記釣り針本体をチモト先から挿入して上記傘状係合部に上記爪部を係合させてなることを特徴とする釣り具、（２）上記チャックが、上記円筒部材の円筒部の端部に爪部を連結して設けてなる上記（１）記載の釣り具、及び（３）上記チャックが、上記円筒部の筒方向に沿って切通して設けた切れ目を有する円筒部材と、上記切れ目の反対側内側に位置して爪部を設けた連結部材とよりなる上記（１）記載の釣り具、を要旨とする。
【発明の効果】
【０００９】
本発明の釣り具は、釣り針の針軸に、該針軸の周囲を囲繞して傘状に突出して設けられた複数個の傘状係合部を、該傘状係合部の石づきがチモト先にくるように設けた釣り針本体と、円筒の筒方向に沿って切通して設けた切れ目を有し、該切れ目の反対側内側に位置して円筒の内側に向いて爪部を設けてなるチャックとよりなり、該チャックの挿入口から上記釣り針本体をチモト先から挿入して上記傘状係合部に爪部を係合させてなる構成を採用したことにより、釣り針本体２が簡単にチャックから取外せて、釣り針本体２のチモト先から身餌に真直ぐに挿入することで容易に取付けることができ、また、餌の形状に合わせて思い通りに針を通すことができ、更に取り付けた餌が釣り針の軸周囲に設けた複数の傘状係合部によって保持されるので、餌のズレを防ぎ、また、外れるのを防ぐことができ、更に魚による餌の食い逃げも防ぐことができるという効果が得られる。
【００１０】
また、本発明の釣り具は、身餌の大きさや魚種にあわせて軸に設けた傘状係合部と爪部との係合箇所を変えて針軸の長さを調節でき、また、逆に釣り具の大きさに合わせて身餌の大きさを切断して用いることができることで、身餌を無駄なく用いることができ、値段の高い餌を効率的且つ経済的に使用することができるという効果が得られる。
【００１１】
また、本発明の釣り具は、釣針本体がチャックに取り付けた後自由に回転するので、水中に落下中又は上昇中に水の抵抗によって釣り針本体に回転が加わった時や仕掛けに魚が掛かった時のハリスへのよじれの影響が少なくなり、また、釣りの最中に魚を誘うことを目的に釣り具を上下させた時に餌が潮の流れに従って自然に漂っている状態を演出でき、釣果の向上につながるという効果が得られる。
【００１２】
また更に、本発明の釣り具は、釣り針本体が取り外しできるので、他の釣り人の仕掛けと絡み合った時に、まず釣り針本体を外し、仕掛けのほどきを容易に行うことができるという効果が得られる。
【発明を実施するための最良の形態】
【００１３】
以下、実施例に基づき本発明を詳細に説明する。
図１は、本発明の釣り具の1例を示す斜視図である。
図２は、図１の釣り具を釣り針本体（ａ）とチャック（ｂ）に分解した斜視図である。
図３は、本発明の釣り具に用いるチャックの他の例（ａ）とそれに用いる連結部材（ｂ）を示す斜視図である。
図４は、上記釣り具を２個連結した本発明の釣り具の例（ａ）、（ｂ）を示す斜視図である。
図５は、本発明の釣り具に切り身餌を取り付けた例（ａ）及び魚餌を取り付けた例（ａ）を示す斜視図である。
図６は、本発明の釣り具に頭部を切断した魚餌を取り付ける方法（ａ）及び取り付け後を示す斜視図である。
【００１４】
本発明の釣り具１は、釣り針本体２とチャック１０とよりなり、（ａ）釣り針本体２には、釣り針３の針軸４周囲を囲繞して突出する少なくとも２個の傘状係合部５が設けられており、該傘状係合部５は、軸方向の側面より見て、傘の石づき側が軸のチモト側を向いて傘の石づきと傘軸側が連結した形状に形成されている。（ｂ）チャック１０は、円筒部材１１の筒方向に切通して設けられた切れ目１３を有する円筒部材１１の内側に、上記切れ目１３の反対側に円筒内側を向いて突出した爪部１４が設けられている。上記釣り針本体２は、そのチモト側からチャック１０の円筒部１２の挿入口１５から挿入して上記傘状係合部５と爪部１４とが係合して釣り具１を形成するよう構成されている。
【００１５】
上記釣り針本体２は、1個の釣り針用素材からなり、該釣り針用素材として、鋼鉄、ステンレス、硬質プラスチック等が挙げられ、茶焼き、黒焼きしたり、又は錆び止めにクローム、金,銀鍍金等を施した鋼鉄製が、強度、耐磨耗性に優れているので好ましい。釣り針本体２に設けられる傘状係合部５は、上記釣り針用素材と同じ素材を用いて釣り針の軸に後付けによって設けることもできるが、上記素材を用いて傘状係合部５と共に一体成形加工によって製造することもできる。均質な性状及び高い強度を得るには、一体成形加工により製造するのが好ましい。鋼鉄製の釣り針本体２は、通常成形加工後焼入れを行って硬化して用いられる。
【００１６】
釣り針本体２に設けられる傘状係合部５は、針軸４の周囲を取り囲んで同じ直径と形状を有し、針軸４に対し直角方向から見た形状が、傘をすぼめた又は半開きした形状、また更に一方に緩く傾斜した鋸刃状の形状等が挙げられ、針軸４のチモト先７側に緩く傾斜し、他方の釣り針の針先３側に直角に近い急な傾斜となるように形成されている。そのような傘状係合部５と傘状係合部５との間の溝部６にチャック１０の爪部１４が係合して釣りを行っている時にも絶対に外れないようになっている。
【００１７】
釣り針本体２の大きさは、針先３の湾曲部からチモト６先端までの長さとして、通常３０〜１００ｍｍであり、３０ｍｍ未満では、加工及びチャック１０の取付け等の操作が困難となるので好ましくない。それに対応するチャック１０の大きさは、上記釣り針本体２の長さに対し筒状部材１１の長さが３〜１５ｍｍ、円筒の直径が３〜１５ｍｍのものが用いられる。
【００１８】
上記傘状係合部５は、針軸４に２〜２０個程設けられており、その数が、2個未満では、取付けた身餌がズレたり、抜け落ちたりし易く、また、魚に取られ易くなるので好ましくない。また、２０個を超えると身餌の取り付け時に抵抗が大きくなり、取付けに手間を要するので好ましくない。針軸に設ける傘状係合部５は、５〜１５個であるのがより好ましい。例えば、軸長が４０ｍｍの場合、傘状係合部５を７，８個設けるのが好ましい。
【００１９】
傘状係合部５は、1例として図２（ａ）に示すように側面の断面形状としてチモト先７側に緩く傾斜し、針先３側に急な傾斜又は垂直に近い角度を形成したすぼめた傘状を形成し、該傘状係合部５と爪部１４との係合が確実に行われるには、針先３側への傾斜が、軸に対し90度以下であるのが好ましい。しかし７０〜１００度の角度に形成されていれば、ほぼ目的は達成される。また、傘状係合部５のチモト先７側への傾斜角度は、緩い方が爪部１４との係合の際に、抵抗が少なくなるが、身餌が外れ易くなり、針軸４も長くなるので、針軸４に対して上下にそれぞれ１０〜４０度であるのが好ましい。各傘状係合部５の間隔は、２〜１５ｍｍに設けられるのが好ましい。例えば、軸長が４０ｍｍで上記傾斜角度を20度にした場合、各傘状係合部５の間隔が３ｍｍに設けられているのが好ましい。
【００２０】
本発明の釣り具1の釣り針本体２は、上記のように形成されることで、傘状係合部５とチャック１０の爪部１４との係合する位置を変えることで釣りに働く針軸４の長さを調整することができ、更に上記傘状係合部５は、各傘状係合部５の間でニッパ等を用いて切断することによっても針軸４の長さを調整することができるように形成されている。それによって身餌の大きさに対応することができると共に、更に魚種や魚の大きさに対応して釣り具１の長さを調整することができる。
【００２１】
上記チャック１０は、(イ)筒状部材１１に爪部１４が連結して1体に形成されているチャック１０と、(ロ) 筒状部材１１と連結部材２０の2体より形成されているチャック１０がある。(イ)の1体に形成されているチャック１０は、筒状部材１１の円筒部１２の端部に該筒状部１２の内側に向けて爪部１４が設けられている (図１，２(ｂ))。該爪部１４は、筒状部材１１と同じ材質で該筒状部材１１と一体に形成されている。また、(ロ)の2体に形成されているチャック１０は、筒状部材１１は、円筒部１２の筒方向に切通して切れ目１３を設け、該切れ目１３の反対の位置の円筒部１２の外上面にハリス取付部（以下、取付部という。）１６を設けただけのものであり、上記筒状部材１１に、連結部材２０を取付けてなっている。
【００２２】
チャック１０の素材としては、筒状部材１１には、金属製、プラスチック製等が挙げられる。また、連結部材２０は、筒状部材１１と同じ材質から形成されていても良いが、異なる材質から形成されていても良い。金属製としては、軟鉄、鋼鉄、ステンレス等が挙げられ、プラスチック製としては、硬質塩ビ、ポリエチレンテレフタレート等が挙げられる。軟鉄、鋼鉄の場合には錆び防止に表面にクローム等の鍍金が施されているのが好ましい。筒状部材１１は、金属製又はプラスチック製細管を所定の長さに切断し、筒方向に沿って所定の幅に切れ目１３を設けて得られる。連結部材２０は、図３（ｂ）に示す様に針がね材を曲げて形成して得られる。筒状部材１１を上記プラスチックで形成し、連結部材２０を金属製針金材で形成して用いることもできる。
【００２３】
連結部材２０は、1本の針金材を折り曲げて図３（ｂ）に示すような形状に形成されており、筒状部材１１の側壁を挟んで保持する2個の平行にコの字状を形成した保持部２１とそれに爪部２２が連結し、該爪部２２の先端で連結して先端部２３を形成している。更に爪部２２の連結する保持部２１の反対側端部には、上記保持部２１から筒状部材１１が抜け落ちないように円筒部１２の中心に向って曲げたＬ字状の鍵部２４が形成されて、連結部材２０はなっている。
【００２４】
連結部材２０の筒状部材１１への取付けは、該連結部材２０の2個の保持部２１と爪部２２の間に取付部１６を挿通し、次いで上記2個の保持部２１と爪部２２の間に形成されたコの字の奥まで筒状部材１１の端部を挟み込み、円筒部１２の他端部に鍵部２４を引っ掛けるように取付けて行われる（図３(a)）。
【００２５】
上記連結部材２０を形成する針金材には、径０．５〜１．０ｍｍの軟鉄、鋼鉄及びステンレス製針金が挙げられ、これらの金属の表面には、発錆防止にクロム等の鍍金を施して用いることができる。連結部材２０を筒状部材１１に取り付けた後には、遊動して筒状部材１１から外れないように遊びが少なく、筒状部材１１に固定した状態に取り付けられるように形成されているのが好ましい。特に筒方向に対して遊びができるだけないように形成されることが望ましい。
【００２６】
上記チャック１０は、切れ目１３が下方に、爪部１４が上方にくる状態にて通常用いられるので、筒状部材１１の外側上部のほぼ中央にはハリスに連結するための取付部１６が設けられている。取付部１６は、針金状部材を環状に形成して円筒の外壁に接合するか、又は材質が金属の場合には筒状部１２の外側に熔接によって取り付けることができる。取付部１６の形状は、ハリスを結ぶことのできるように環状を形成するか、板材状に形成して丸い孔を設けたのであってもよい。環状の場合には、円形状、楕円形状等が挙げられ、三角形状、四角形状等であってもよい。
【００２７】
上記取付部１６の取り付け方は、該取付部１６が、筒状部材１１の筒方向に直角に向けて取り付けることもできるが、上記筒方向に平行に取り付けることもできる。上記チャック１０が筒状部材１１と連結部材２０の２体より形成されている場合には、図３（ａ）に示すように、連結部材２０を筒状部材１１に連結する際に取付部１６が邪魔とらないように、筒方向に平行に設けるのが好ましい。チャック１０に爪部１４が一体に形成されている場合には、取付部１６の方向は、上記のいずれの向きに取り付けられていても構わない。
【００２８】
爪部１４は、円筒部１２に一体に形成されている場合（イ）及びチャックが筒状部材１１と連結部材２０とよりなる場合（ｂ）共に、切れ目１３に対し１８０度反対側の位置に設けられるが、爪部１４の先端部１８は、三角形等の鋭角形状に形成されていてもよいが、幅広くして上記傘状係合部５の溝部８の円周に対し多くの接点を持って係合するように形成されているのが好ましい。爪部１４の先端部１７は、チャック１０に釣り針本体２を挿入する際に、傘状係合部５の突起部８によって押された時に、筒状部材１１の内壁側に向かって動くように形成されており、上記突起部８を通過した後に溝部６に落下して元に戻る。更に傘状係合部５を押し込むと、次の傘状係合部５に当接し、緩い斜面を上がり突起部８で落下する。所望の位置の溝部６にて係合するのであるが、上記爪部１４は、全体がバネの性状を有しているのが好ましく、繰返しの使用によってもバネ力が低下しないことが望ましい。
【００２９】
また、爪部１４は、先端部１７の厚みが筒状体１２より薄く形成されていてもよく、爪部１４の連結箇所から先端部１７に行くほど薄く延ばされていてもよい。また、筒状部材１１に爪部１４が連結して1体となっている場合には、爪部１４の連結箇所と先端部１７の間の両面に溝を設けて上下に動くように形成してもよい。また、筒状部材１１と連結部材２０の2体より形成されている場合には、該連結部材２０の爪部２２の先端部２３は、針がね材の太さを細くしたり、先端を薄く形成されていてもよい。
【００３０】
上記爪部１４の先端部１７は、釣り針本体２の傘状係合部５によって押されたときに内壁側に移動し、該傘状係合部５の頂点を通過した後に元の位置に戻るバネ状に形成されているのが好ましい。そうすることでチャック１０の筒状部１２に釣り針本体２をチモト先７側から挿入した時に、爪部１４は、先ず鋸刃状の傘状係合部５の緩い傾斜角面に当接し、更に押すと爪部１４は、突起部８の頂点から落下して溝部６に落ち込んで係合することで釣り針本体２は、チャック１０から抜けなくなる。更に必要により押し込んで爪部１４の任意の位置に変更し固定できる。
【００３１】
筒状部材１１に連設して設けられている爪部１４は、図１，２に示すように、円筒部１２の端部に連結し、該円筒部１２の内側に折り曲げた状態に形成されている。また、上記の場合、爪部１４は、筒状部材１１の切れ目１３の反対側内側の筒方向の中程に内側に向けて設けられていてもよい。この場合に爪部１４は、上記筒状部材１１の内側に固定して取り付けるが、接合又は熔接によって取り付けるのが好ましい。爪部１４の先端は、上記と同様に傘状係合部５対して押されれば動き、モトに戻るバネ様に可動するように形成されていることが望ましい。
【００３２】
上記爪部１４が、円筒部１２の端部に連結して設けられている場合には、1枚の板材に円筒部１２及び爪部１４の相当部が連結した形状に型抜きして円筒部１２と爪部１４を形成しても得られる。円筒部１２相当部を丸めて所定の切れ目１３の幅に空けた円筒部１２を形成し、次いで爪部１４相当部を上記形成された円筒部１２の内側に折り曲げて爪部１４を形成して筒状部材１１が得られる。該筒状部材１１に取付部１６を設けてチャック１０が得られる。
【００３３】
また、上記爪部１４が一体に形成された筒状部材１１において、取付部１６を筒状体１２の爪部１４が設けられていない方の端部に円筒部１２の上向き（切れ目の反対の方向）に設けることもできる。この場合には、1枚の板材に円筒部１２、爪部１４及び取付部１６の各相当部を連結した形状に型抜きし、上記と同様に筒状部１２と爪部１４を形成し、次いで取付部１６相当部を円筒部１２の外側上方に折り曲げて取付部１６を形成してチャック１０が得られる。この場合の取付部１６の形状は、半円形状,半楕円形状、長方形状、三角形状等が挙げられ、該取付部１６の上部ほぼ中央にはハリス結び付け用の孔が設けられている。
【００３４】
上記のように連結部材２０が、上記針がね材から形成される場合には、爪部２２は、先端部２３が傘状係合部５の溝部６に対し多くの接点を持って係合するように形成されているのが好ましいが、係合する溝部６の形状に合わせて当接するように形成されているのが更に好ましい。また、連結部材２０は、細い板状材を折り曲げて図３（ｂ）の形状に形成することもできる。
【００３５】
チャック１０の筒状部材１１に設けられる切れ目１３は、上記筒状部材１１の筒の長さ方向に一方の端部から他方の端部まで切り通して設けられている。上記切れ目１３の幅は、釣り針本体２の針軸４の太さより大きく形成されていることが必要である。上記チャック１０は、その大きさに合わせて取り付ける釣り針の大きさも決まってくるので、その大きさの釣り針の軸４に合わせて、該針軸４の太さより大きめの幅に切れ目１３を設けておくのが好ましい。ここでいう針軸とは、上記釣り針本体２の傘状係合部５を設けていない針の軸部分をいい、該軸部分が緩く挿入できる程度の幅に切れ目１３は設けられている。
【００３６】
本発明の釣り具１は、上述した釣り針本体２及びチャック１０の各々１個を組合せて１組として用いる（図１、２）以外に、２組の釣り具１を1個の身餌を取り付けて用いることもできる（図示せず）。更に２個のチャック１０を連結させ、その各々に１個の釣り針本体２を取り付けて用いることもできる。その例を図４（ａ），（ｂ）に示す。いずれも２個のチャック１０の円筒部材１１を円筒方向に平行に連結されているが、一方は、２個の爪部１４が同じ方向を向いており（図４(a)）、他方は、２個の爪部１４が互いに向き合う方向に設けられている（図４(b)）。従って、釣り針本体２の取り付け方向は、前者の場合は、同一方向に平行に取り付けられ、後者の場合は、反対方向を向いて取り付けられる。
【００３７】
本発明の釣り具１の使い方について説明する。釣り具１は、チャック１０に釣り針本体２が挿入され傘状係合部５に爪部１４が係合している状態にある。先ず上記釣り針本体２の針先３を下に向けて手に持ってチモト側を先頭にして送り、最後の傘状係合部５が筒状部１２を通過した後、軸４を切れ目１３の間を通過させて外に取出す。次いで釣り針本体２の長さより若干短い長さの切り身餌３０を用意しておき、その身餌３０に釣り針本体２をチモト先７から挿入して針先３が隠れるまで差込んで身餌３０を取り付ける。該身餌３０のチモト側からチモト先７の2個ほどの傘状係合部５が突出している。該チモト先７をチャック１０の挿入口１６から挿入して傘状係合部５に爪部１４を係合させる。そのようにして身餌３０を取り付けた釣り具１を図５（ａ）に示す。チャック１０の取付部１６には予めハリス９が結び付けられている。
【００３８】
また、上記釣り具1に魚餌３１を取り付ける場合には、上記のように外した釣り針本体２のチモト先７を魚餌３１の尾より差込んで魚体中に押し入れて、チモト先７の３、４個ほどの傘状係合部５を口より突出させ、該突出した傘状係合部５にチャック１０の爪部１４を係合させて取付けを終える。魚餌３１を取り付けた後の状態を図５（ｂ）に示す。
【００３９】
また更に、魚餌３１を頭部３２と胴体部３３に切断しておき、釣り針本体２のチモト先７を胴体部３３の尾より差込んで魚体中に納め、チモト先７に５〜６個の傘状係合部５を突出させ、そこにチャック１０を取り付ける。次いで該チャック１０のから突出している傘状係合部５に、先に切断した頭部３２を差込んで取り付けると1個の魚餌３３になる。上記頭部３２は、傘状係合部５の返し部に引っ掛かかって外れ難くなっており、釣り餌として長持ちし有効に働くようになる。この取付け方の例を図６（ａ），（ｂ）に示す。
【００４０】
また、身餌３０を長手方向に大小二つに切断しておき、大きい方の身餌の端部から釣り針本体２をチモト先７から差込み針先３まで納め、他端部に突出したチモト先７側にチャックを取り付け、次いで小さい方の身餌を取り付けて用いることもできる。また、上記小さい方の身餌に代えて市販されている魚の頭部様に形成された擬似餌を取り付けて用いることもできる。
【００４１】
また、２組の釣り具１を１個の身餌に取り付ける場合には、用いる釣り具１の大きさは同じでも、異なっていてもよいが、例えば大きさの異なった釣り具１を２個用意し、２個の釣り具１の釣り針本体２を魚餌の尾側より差込んで、口より各々２,３個の傘状係合部５を突出させ、各々にチャックを取り付ける。この場合に２個の釣り具１の取付部１６の各々にハリス９が結び付けられ、その先で2本を一緒にして道糸に連結するようにする。２組の釣り具１の針先３は、同じ方向にせずに90度ほど異なった方向を向けておくのが好ましく、例えば、大きい方の釣り具１の針先３は、魚餌の魚体の上下方向に対し横向きにし、小さい方の釣り具１の針先３は、上記に対し下向きにしておく。そうすることで魚が掛かった時に逃げ難くなる。
【００４２】
また、２個のチャック１０を連結させて２個の釣り針本体２を同じ方向に向けて取り付ける場合には、上記２組の釣り具１を１個の身餌に取り付けて用いる場合と同様に、２個の釣り針本体２を尾部より差込み、口より各々２,３個の傘状係合部５を突出させ、突出した傘状係合部５の各々にチャックを取り付けて用いる。ハリス９の取り付け、及び針先３の方向は、上記２個の釣り具１を用いる場合と同様に行うのが好ましい。また、２個のチャック１０を連結させて２個の釣り針本体２を各々反対方向に向けて取り付ける場合には、例えば魚餌を頭部３２と胴体部３３に切断しておき、一方の釣り針本体２を胴体部３３の尾部より差込み、他方の釣り針本体２を頭部の口か差込み、胴体部及び頭部の切断面には各々２,３個の傘状係合部５を突出させる。突出したチモト先７の各々にチャックの爪部１４の方向に合わせて取り付けて用いる。
【図面の簡単な説明】
【００４３】
【図１】本発明の釣り具の1例を示す斜視図である。
【図２】図１の釣り具を釣り針本体（ａ）とチャック（ｂ）に分解した斜視図である。
【図３】本発明の釣り具に用いるチャックの他の例（ａ）とそれに用いる連結部材（ｂ）を示す斜視図である。
【図４】上記釣り具を２個連結した本発明の釣り具の例（ａ）と（ｂ）を示す斜視図である。
【図５】本発明の釣り具に切り身餌を取り付けた例（ａ）及び魚餌を取り付けた例（ａ）を示す斜視図である。
【図６】本発明の釣り具に頭部を切断した魚餌を取り付ける方法（ａ）及び取り付け後を示す斜視図である。
【符号の説明】
【００４４】
１    釣り具
２    釣り針本体
４    針軸
５    傘状係合部
１０  チャック
１１  筒状部材
１２  円筒部
１３  切れ目
１４  爪部
１５  挿入口
【図１】
2005130771.tif 000003
【図２】
2005130771.tif 000004
【図３】
2005130771.tif 000005
【図４】
2005130771.tif 000006
【図５】
2005130771.tif 000007
【図６】
2005130771.tif 000008